(57)【要約】【課題】  ホッパ底部からホッパ下方の散布装置へ肥料を落下させて散布する肥料散布機において、肥料の落下量を調節するシャッター部のメンテナンス性を向上させる。【解決手段】  ホッパ底部の固定板と、固定板の略中央部を回動中心として回動するシャッター板と、これらを密着させるとももにシャッター板の回動中心部材でもあるブッシュとで構成し、シャッター板を通常散布作業回動範囲外に回動させると、シャッター板と回動中心部のブッシュの係合部が外れ、固定板とシャッター板の間に所定の隙間を確保できる構成とし、容易にシャッター摺動部に侵入した肥料を除去できるようにした。【選択図】      図３
2005269945.tif 000002
【特許請求の範囲】
【請求項１】
散布する肥料を収容するホッパの底部からホッパ下方の散布装置へ肥料を落下させて散布する肥料散布機において、肥料を落下調節するシャッター部は、ホッパ底部のフレーム側に固定されて落下口を設けた固定板と、この固定板の略中央部を回動中心として回動し落下口を有したシャッター板と、これら固定板とシャッター板を密着させるとともにシャッター板の背面を支持する回動中心部材のブッシュとで構成し、前記シャッター板を回動し、前記固定板とシャッター板のそれぞれの落下口を重合させて重合度合による肥料の落下量調節を行うように構成するとともに、シャッター板を通常散布作業回動範囲外に回動させるとシャッター板の回動中心部のブッシュの支持係合部が外れ、固定板とシャッター板とが離れて所定の隙間を確保できることを特徴とする肥料散布機。
【発明の詳細な説明】
【技術分野】
【０００１】
本発明は、肥料散布機のシャッター構造に関するものであり、特にシャッター部のメンテナンスに係るものである。
【背景技術】
【０００２】
背景技術として、例えば特開平７−２９８７４１号公報の自走式肥料散布機や特開２００１−１０３８２１号公報の肥料散布機における肥料の繰出装置で公知のように、肥料等の散布機におけるシャッター構造は複数枚の板を重ね合せ、それぞれの落下口を重合させ重合した開口部より肥料を落下させて散布する構成である。
【特許文献１】特開平７−２９８７４１号公報
【特許文献２】特開２００１−１０３８２１号公報
【発明の開示】
【発明が解決しようとする課題】
【０００３】
前記従来技術における肥料散布機のシャッター部は、複数枚の板を重ね合せて密着させ、重ね合った板同士を摺動し落下口の大きさを変化させ肥料の散布量を調節する構造であるため、シャッタの開閉摺動中に肥料が重ね合ったシャッター板の間に少しづつ侵入し、長期使用していると侵入した肥料によりシャッター板の摺動抵抗が増大し、これによりシャッタの開閉レバーの操作力が増大することとなる問題があった。しかしながら、シャッター板は密着させて肥料の漏れを防止する必要があり、日常的に分解して侵入した肥料を除去することが簡単にできない問題があった。
【課題を解決するための手段】
【０００４】
上記課題を解決するために、散布する肥料を収容するホッパの底部からホッパ下方の散布装置へ肥料を落下させて散布する肥料散布機において、肥料を落下調節するシャッター部は、ホッパ底部のフレーム側に固定されて落下口を設けた固定板と、この固定板の略中央部を回動中心として回動し落下口を有したシャッター板と、これら固定板とシャッター板を密着させるとともにシャッター板の背面を支持する回動中心部材のブッシュとで構成し、前記シャッター板を回動し、前記固定板とシャッター板のそれぞれの落下口を重合させて重合度合による肥料の落下量調節を行うように構成するとともに、シャッター板を通常散布作業回動範囲外に回動させるとシャッター板の回動中心部のブッシュの支持係合部が外れ、固定板とシャッター板とが離れて所定の隙間を確保できる構成とした。
【発明の効果】
【０００５】
以上のような構成にしたことにより、固定板のシャッター板の密着部が簡単に外れ、固定板とシャッター板の間に侵入した肥料を容易に除去することができるため、メンテナンス性が向上し、長期使用していてもシャッターの開閉抵抗が増大することがない。
【発明を実施するための最良の形態】
【０００６】
以下、本発明の実施形態を図面に基づいて説明する。図１は本発明を実施した肥料散布機の一部断面した側面図、図２は本発明を実施した肥料散布機のホッパを外した平面図、図３はシャッター部要部の側面図、図４はシャッター部部品の分解した斜視図、図５は落下口を閉じた状態のシャッター係合孔とブッシュ係合片の関係図、図６は落下口を全開した状態のシャッター係合孔とブッシュ係合片の関係図、図７はシャッター板が固定板より離れた時のシャッター板係合孔とブッシュ係合片の関係図を示したものである。
【０００７】
図１，図２において、５はフレームで前方部にロアピン５ａとトップブラケット５ｂを設けて、図示されていないがトラクタ三点リンク機構に装着できるように構成してある。
【０００８】
１はホッパで上方より肥料を投入できるように上方を開口し下方を狭くした逆円錐形状に構成し、フレーム５の上部に着脱自在に固定され、ハンドル８を緩めるとホッパを外すことができメンテナンス及び格納に便利である。
【０００９】
ホッパ１内の底部には肥料の落下量を調節するシャッター部２０が設けられて、シャッターレバー９を操作すると、ロッド９ｂで連結されたシャッター板３が回動し、肥料の落下量を調節できる。落下した肥料は散布部２１により散布される。
【００１０】
１０は入力軸で、図示されていないがトラクタＰＴＯ軸とユニバーサルジョイントで連結し、トラクタから回転動力を伝達されるものである。入力軸より伝達された回転動力はフライホイール１１を回転し、ホッパ１の中心部に設けられたヨークシャフト１４を揺動させる。
【００１１】
ヨークシャフト１４は入力軸中心線の延長上に直交して揺動中心線を有し、ヨークシャフト１４に固着されたヨークボス１３と回転中心線をフライホイール１１の回転中心の外周部にオフセットさせ、かつその中心線が入力軸中心線とヨークシャフト中心線の交点を通るように設けたフォークアーム１２でフライホイールと連結連動させ、フォークアーム１２のヨークボス側は二又に形成させてヨークボス１３を水平方向で挟み込む様に構成してある。このため、フライホイール１１を回転させると、フォークアーム１２のフライホイール側がフライホイールとともに回転しヨークシャフト側は揺動運動する。
【００１２】
ヨークシャフト１４が揺動すると、落下した肥料を受けるサブホッパー１５と散布筒６及びアジテータ１６がヨークシャフト１４に固着されて揺動し、散布筒６の先端部の散布皿７部分より肥料を投出し散布する。このように散布部を揺動して肥料を散布する方法は公知であり、本発明の範囲に入るものではなく、また、散布部が水平方向に回転する円板に散布羽根を設け、これに肥料を落下させて遠心力で拡散散布する肥料散布機の場合でも本発明の主旨は変わらない。
【００１３】
図３，図４において、シャッター部の構成を説明する。ホッパ１の底部には肥料を掻き出すアジテータ１６が設けられ、その下方に落下口を設けた固定板２がフレーム５に固定されて取り付けられている。さらにこれに密着し落下口を設けたシャッター板３がヨークシャフトと同軸で回動するように、固定板２の背面に回動中心部を形成するブッシュ４により支持されている。シャッター板３を回動させ、固定板落下口２ａとシャッター落下口３ａを重合させ重合度合により肥料の落下量を調節する。
【００１４】
シャッター板３の回動中心部は、回動用穴とこの一部にこの穴の外径より大きい切欠部を設けた係合孔３ｂを設け、またシャッター板を挟持するブッシュ４の摺動面は、前記シャッター板の係合孔３ｂの切欠部が嵌合する形状に段部４ｂを成形し、シャッター板を回動して散布作業回動範囲外に達してブッシュの係合片４ａがシャッター板の係合孔３ｂの切欠部に嵌合すると、シャッター板３は固定板２との密着が解除されて段部４ｂの下方にスライド可能となり隙間Ａが確保される。隙間Ａが確保されることにより、固定板２とシャッター板３との間に侵入した肥料等を簡単に除去可能となり、メンテナンスが容易にできる。
【００１５】
図５，図６，図７は、シャッター板３を回動した時のシャッター板の係合孔とブッシュの係合片との関係を図示したもので、図５はシャッター板の落下口を閉じた状態を示したもので、シャッター板はブッシュの係合片４ａと斜線で示したａ部で支持されている。矢印方向にシャッター板を回動すると、シャッター落下口３ａが固定板落下口２ａと重合し、肥料は落下する。
【００１６】
図６は、シャッター落下口３ａと固定板落下口２ａを一致させて落下口が全開の状態を示したもので、シャッター板はブッシュの係合片４ａと斜線で示したａ部で挟持されている。
【００１７】
図７は、さらにシャッター板を回動させてブッシュの係合片とシャッター板の係合穴が嵌合した状態を示したもので、このときシャッター板３は固定板２との密着が解除され、ヨークシャフトの軸方向に隙間を確保できる。
【００１８】
３ｃは取手を示し、シャッター板を固定板に密着させたり解除させたりする場合に使用する。本例でシャッター板は固定板の下方に設けたが、シャッター板を固定板の上方に設けた構成にしてもよい。
【図面の簡単な説明】
【００１９】
【図１】本発明を実施した肥料散布機の一部断面した側面図
【図２】本発明を実施した肥料散布機のホッパを外した平面図
【図３】シャッター部要部の側面図
【図４】シャッター部部品の分解した斜視図
【図５】落下口を閉じた状態のシャッター係合孔とブッシュ係合片の関係図
【図６】落下口を全開した状態のシャッター係合孔とブッシュ係合片の関係図
【図７】シャッター板が固定板より離れた時のシャッター板係合孔とブッシュ係合片の関係図
【符号の説明】
【００２０】
１      ホッパ
２      固定板
２ａ    固定板落下口
３      シャッター板
３ａ    シャッター落下口
３ｂ    係合孔
３ｃ    取手
４      ブッシュ
４ａ    係合片
４ｂ    段部
５      フレーム
５ａ    ロアピン
５ｂ    トップブラケット
６      散布筒
７      散布皿
８      固定ハンドル
９      シャッターレバー
９ａ    レバーガイド
９ｂ    ロッド
１０    入力軸
１１    フライホイール
１２    フォークアーム
１３    ヨークボス
１４    ヨークシャフト
１５    サブホッパー
１６    アジテータ
２０    シャッター部
２１    散布部
【図１】
2005269945.tif 000003
【図２】
2005269945.tif 000004
【図３】
2005269945.tif 000005
【図４】
2005269945.tif 000006
【図５】
2005269945.tif 000007
【図６】
2005269945.tif 000008
【図７】
2005269945.tif 000009